(57)【要約】      （修正有）【課題】銀杏の保持を実現しつつ且つ効率的な殻割りを行うことができる金属部品を使用し、軽量化と作業性の向上を図る樹脂製の銀杏殻割り器を提供する。【解決手段】一対の開閉部材の交差部を枢結して一方側の柄部２の開閉操作によって他方側の対向する挟圧部３で殻割りを行う銀杏殻割り器において、金属板と金属板を被覆する樹脂材で構成し、金属板が交差面部１１と柄芯部２１と対向縁に三角歯状の挟圧縁３２を設けた挟圧板部３１とを備え、柄芯部２１の表裏全周を樹脂被覆して柄部２に形成すると共に、挟圧板部３１の表裏外周を挟圧縁３２が僅かに突出し且つ対向側が開口した半筒状に樹脂被覆して挟圧部３を形成してなる。【選択図】図３
0003197178.tif 000002
【実用新案登録請求の範囲】
【請求項１】
一対の開閉部材の交差部を枢結して一方側の柄部の開閉操作によって他方側の対向する挟圧部で殻割りを行う銀杏殻割り器において、前記開閉部材を、金属板と金属板を被覆する樹脂材で構成したものであって、金属板が交差面部と柄芯部と対向縁に三角歯状の挟圧縁を設けた挟圧板部とを備え、前記柄芯部の表裏全周を樹脂被覆して柄部に形成すると共に、挟圧板部の表裏外周を挟圧縁が僅かに突出し且つ対向側が開口した半筒状に樹脂被覆して挟圧部を形成してなることを特徴とする銀杏殻割り器。
【請求項２】
交差面部の枢結箇所の周囲部分を除いた表面及び周面に、柄部及び挟圧部の表面及び周面と連続する樹脂被覆を施した開閉部材を、交差状態として枢結軸で枢結すると共に、枢結箇所の非樹脂被覆部に適宜な蓋体を装着してなる請求項１記載の銀杏殻割り器。
【請求項３】
開閉部材を枢結した際に、挟圧縁を、開閉部材全閉状態で先端側が狭くなるハの字状に設けてなる請求項１又は２記載の銀杏殻割り器。
【請求項４】
柄部における交差部近傍の開閉部材間に、開閉部材を開放方向に付勢する発条を介設し、開閉部材の一方に設けた係止受部と、他方に前記係止受部に係脱可能としたロック部で構成したロック機構を付設してなる請求項１乃至３記載の何れかの銀杏殻割り器。
【考案の詳細な説明】
【技術分野】
【０００１】
本考案は、銀杏殻割り器に関するものである。
【背景技術】
【０００２】
銀杏は周知の如く堅い白色の殻（中種皮）に包まれており、内部の緑色の胚乳部分が食用に供されるもので、殻を除去するための器具として従前より銀杏割り器が提案されている。
【０００３】
銀杏殻割り器としては、中間交差部を枢結した開閉部材の一方の対向側を操作柄部とし、他方対向側を挟圧部とした器具が知られている（特許文献１，２）。
【０００４】
例えば特許文献１（実開昭６２−１０８４６２号公報）には、挟圧部を湾曲面とし、挟圧部で銀杏を保持しながら殻割りを実現すると共に、銀杏の実を潰すことなく殻割りが行われるように、操作柄部の閉口制限機構を付設している器具が開示されている。
【０００５】
また特許文献２（特開平８−５６８５８号公報）には、挟圧部を半筒状で且つハの字状に設け、操作柄部を全閉した際の挟圧部の対向間隔が先部と基部とで相違するようにして、銀杏の大小に対応して、銀杏の実を潰すことなく殻割りを実現している。
【０００６】
【特許文献１】実開昭６２−１０８４６２号公報。
【特許文献２】特開平８−５６８５８号公報。
【考案の概要】
【考案が解決しようとする課題】
【０００７】
ところで、前記した器具は使用対象物が殻の堅い銀杏であるため、開閉部材全体を金属製としているものであり、その製造が煩瑣である。しかも挟圧部が湾曲面又は半筒状に形成されているので、銀杏に対して殻割りのための力が面で作用するので、必ずしも柄部の握持力が殻割りにおいて効率的に作用しているものでは無い。
【０００８】
そこで本考案は、銀杏の保持を実現しつつ且つ効率的な殻割りを行うことができる金属部品を使用した樹脂製の銀杏割り器を提案したものである。
【課題を解決するための手段】
【０００９】
本考案の請求項１記載に係る銀杏殻割り器は、一対の開閉部材の交差部を枢結して一方側の柄部の開閉操作によって他方側の対向する挟圧部で殻割りを行う銀杏殻割り器において、前記開閉部材を、金属板と金属板を被覆する樹脂材で構成したものであって、金属板が交差面部と柄芯部と対向縁に三角歯状の挟圧縁を設けた挟圧板部とを備え、前記柄芯部の表裏全周を樹脂被覆して柄部に形成すると共に、挟圧板部の表裏外周を挟圧縁が僅かに突出し且つ対向側が開口した半筒状に樹脂被覆して挟圧部を形成してなることを特徴とするものである。
【００１０】
而して前記銀杏割り器は、半筒状の挟圧部内に銀杏を挟んで保持した状態で、柄部間を強握すると、対向する三角歯の挟圧縁に力が集中することで銀杏に加わる圧力が高くなり容易に銀杏の殻を割ることができると共に、器具全体が強度負担をなす金属部材と前記金属部材を被覆する樹脂材で構成することで、器具全体の軽量化を実現している。
【００１１】
また本考案の請求項２記載に係る銀杏殻割り器は、交差面部の枢結箇所の周囲部分を除いた表面及び周面に、柄部及び挟圧部の表面及び周面と連続する樹脂被覆を施した開閉部材を、交差状態として枢結軸で枢結すると共に、枢結箇所の非樹脂被覆部に適宜な蓋体を装着してなるものである。
【００１２】
前記の銀杏殻割り器は、外見上樹脂製の器具となり、色彩や細部形状を容易に選択でき、従前の銀杏殻割り器と比較してそのデザインの選択性の幅が広げられるものである。
【００１３】
また本考案の請求項３記載に係る銀杏割り器は、挟圧縁を、開閉部材全閉状態で先端が狭くなるハの字状に設けてなるもので、銀杏の大きさに対応して殻割りが可能となる。
【考案の効果】
【００１４】
本考案の構成は前記のとおりで、金属板とその樹脂被覆で構成したことによって、器具の軽量化が図られ、更に殻割りを実施する挟圧部を半筒状に形成して、殻割り作業時における銀杏の保持を容易にし、且つ銀杏の殻に加わる力を集中させることで、銀杏の殻を容易に割ることができる器具を提供できたものである。
【図面の簡単な説明】
【００１５】
【図１】本考案の実施形態の一部裁断した正面図（開口時）。
【図２】同正面図（閉口ロック時）
【図３】同開閉操作部材の一部切断した裏面図。
【図４】同挟圧部の前方斜視図。
【考案を実施するための形態】
【００１６】
次に本考案の実施形態について説明する。実施形態に示した銀杏の殻割り器は、通常の挟持器具と同様に一対の開閉部材Ａ，Ｂの交差部１を枢結し、一方側を柄部２、他方側を挟圧部３とし、特に前記開閉部材Ａ，Ｂを、金属板と金属板を被覆する樹脂材で構成したものである。
【００１７】
金属板は、円形の交差面部１１と、前記交差面部１１の一方に連設した柄芯部２１と、他方に連設した挟圧板部３１を備え、挟圧板部３１の対向縁側を三角歯形状の挟圧縁３２としたもので、前記の挟圧縁３２は、開閉部材Ａ，Ｂを枢結した際に、開閉部材全閉状態で、挟圧縁３２が、先端側が狭くなるハの字状となるように形成してなる。
【００１８】
交差面部１１には、中央に枢結軸１２のため枢結用孔１３と、インサート加工に金属板を保持するための保持孔１４を設け、所定のインサート加工によって金属板に樹脂被覆を施すものである。
【００１９】
柄部２は、前記柄芯部２１の表裏全周を樹脂被覆して形成すると共に、交差部１の近傍の開閉部材Ａ，Ｂの各対向部位に発条４の装着凹部２２を設け、開閉部材Ａ，Ｂを交差枢結する際に当該装着凹部２２に発条４を装着して開閉部材Ａ，Ｂを開口方向に付勢してなる。
【００２０】
更に一方の開閉部材Ａには、コの字状のロック部５を回動自在装着する装着部２３を設け、他方の開閉部材Ｂには、前記ロック部５の係止受部２４を設けロック部５の回動操作で開閉部材Ａ，Ｂのロックを行う（図２）。
【００２１】
挟圧部３は、挟圧板部３１の表裏外周を挟圧縁３２が僅かに突出し、且つ対向側が開口した半筒状に形成してなるものである。
【００２２】
交差部１は、交差面部１１の枢結箇所（枢結用孔１３と保持孔１４）の周囲部分を除いた表面及び周面を、柄部２及び挟圧部３の表面及び周面と連続する樹脂被覆を施したもので、開閉部材Ａ，Ｂの交差面部１１の裏面同士を重ね合わせて交差状態とし、枢結軸１２で枢結する。更に交差部１の表面の非樹脂被覆部分に適宜な蓋体１５を装着してなるものである。
【００２３】
而して上記の銀杏割り器の挟圧部３は、半筒状で形成されているので、銀杏を包み込むように挟持されるので、殻割り作業時に銀杏が挟圧部３を離脱することなく、挟圧縁３２間で安定している。そこで柄部２を強握すると、対向する挟圧縁３２に力が集中し、銀杏に加わる圧力が高く容易に殻を割ることができるものである。
【符号の説明】
【００２４】
Ａ，Ｂ    開閉部材
１      交差部
１１    交差面部
１２    枢結軸
１３    枢結用孔
１４    保持孔
１５    蓋体
２      柄部
２１    柄芯部
２２    装着凹部
２３    装着部
２４    係止受部
３      挟圧部
３１    挟圧板部
３２    挟圧縁
４      発条
５      ロック部
【図１】
0003197178.tif 000003
【図２】
0003197178.tif 000004
【図３】
0003197178.tif 000005
【図４】
0003197178.tif 000006